(57)【要約】      （修正有）【課題】ネクタイを装着した時の長さを、素早く思い通りの長さに装着できるようにする、ネクタイを結び始める位置の目印部材を提供する。【解決手段】薄い板状の素材を、小さい長方形に成形し、その長方形部材の折りたたみ線の部分を軟質素材にして折り曲げる、または折りたたみ線の部分を蝶番構造にして折り曲げ、それを折りたたんだ挟む力または粘着力でネクタイの布地に取り付け、直ぐに取り外して再度取り付けることができる。保護フィルム、または薄板に目印５部材を複数個まとめて取り付ける、または容器に目印５部材を複数個まとめて収納する。ネクタイ裏側の、大剣１１の先端を基点にして小剣１２側に長さを測り、６５センチの位置１３に目印５部材を取り付ける。【選択図】図８
0003216213.tif 000002
【実用新案登録請求の範囲】
【請求項１】
小さい長方形に形成した粘着テープの、表面及び裏面の中央部に、折りたたみ線（８）を設け、ネクタイの布地に粘着及び挟んで取り付け、それを一旦取り外し、再びネクタイの布地に取り付けることができる構造を特徴とするネクタイを結び始める位置の目印。
【請求項２】
保護フィルム（９）に、本考案の、ネクタイを結び始める位置の目印を、複数個貼り付けて販売する請求項１記載のネクタイを結び始める位置の目印。
【請求項３】
ネクタイの裏側に、本考案の、ネクタイを結び始める位置の目印を仮留し、その目印を一旦取り外して再び取り付けできるように、ネクタイの大剣（１１）の先端から小剣（１２）側に測り、６５センチの位置に目印（５）を仮留して販売する請求項１記載のネクタイを結び始める位置の目印。
【考案の詳細な説明】
【技術分野】
【０００１】  本考案は、ネクタイを結び始める位置に取り付ける、目印を提案するもので、その名称とする、ネクタイを結び始める位置の目印に関するものである。
【背景技術】
【０００２】  従来、ネクタイは、ワイシャツの襟首に回し適当な位置で結んでいた。ネクタイの発祥時は、装着の長さ及び形を問題視しない時代だったためである。【０００３】  しかしながら、ネクタイがファッションの一部となった現在、装着した時の長さが性格や品格を表し、装着の長さが重要になっている。
とは言え、ネクタイを結び直そうとしても、最初に結んだ結び始めた位置が確認できないため、結び直しても好みの長さに装着することは難しい。
【先行技術文献】
【特許文献】
【０００４】
【特許文献１】特開２００２−１７３８１４
【非特許文献】
【０００５】
【非特許文献１】
【考案の概要】
【考案が解決しようとする課題】
【０００６】  本考案は、以上のような従来の欠点に鑑み、ネクタイ装着の長さを常に一定にする、ネクタイを結び始める位置の目印の提供を目的としている。
【課題を解決するための手段】
【０００７】  本考案は、上記目的を達成するために、貼って剥がせて、再度貼りつけできる粘着テープを用いて目印を作成し移動できるようにする。
その目印の一端に、粘着しない非粘着部（３）を設け、保護フィルム（９）から剥ぎ取りやすく、ネクタイ裏側縫合部（１０）の隙間に差し込みやすくする。【０００８】  しかしながら、本考案の、ネクタイを結び始める位置の目印は、納得できる取り付け位置を説明し、詳しい使用方法を説明しないと実用にならない。【０００９】  最初に、一般的日本人男性が、ネクタイを結ぶ時に最も使用する、結び始める位置を割り出す必要がある。
ネクタイの装着長さは、大剣（１１）の先端が身長の半分ぐらいの位置になるが理想的な長さであり、ズボンのベルトの少し下の位置である。【００１０】  したがって、日本人男性の平均身長を１７０センチとし、半分の８５センチを頭頂から大剣（１１）の先端までの長さとして説明する。
まず、頭部の長さを求めると、日本の一般男性は七頭身であり、計算すると身長１７０センチの人の頭部の長さは約２４．３センチである。そこに、平均的な首の長さを加える必要がある。【００１１】  そこで、男性の心理としてネクタイは少し長めに装着したい。その心理を考慮して、首がない人及び１０センチ以上の長い人は少数であり、中間の５センチを平均的首の長さとして短く設定する。すると、２４．３センチに５センチを加えて、約３０センチを頭頂から首元までの長さとすることができる。【００１２】  ここで、前述したように、身長の半分である８５センチから３０センチを差し引いた５５センチが、首元から大剣（１１）の先端までの長さである。
これに、ネクタイの結び目の長さを加えると、大剣（１１）の先端からネクタイを結び始める位置までの長さで、一般男性が最も使用する位置である。【００１３】  ネクタイの結び目の長さは、一般的結びかたとして３通りあって、何度も実験した結果、短い結びかたで６センチ前後使用する。次に、１０センチ前後使用する結びかたと、１５センチ前後使用する結びかたがある。【００１４】  本考案は、中間の１０センチを使用する、平均的結びかたで説明する。
つまり、大剣（１１）の先端から首元までの長さ５５センチに、結び目で使う長さ１０センチをプラスすると６５センチである。【００１５】  このように、大剣（１１）の先端から小剣（１２）側に測り、６５センチ前後の場所が、ネクタイを結び始める基点に使用する最も確率が高い場所である。
しかし、時代とともに平均身長は高くなるが、その時は６５センチより上に、目印（５）を固定してネクタイを結ぶ人が増加するだけである。
なお、ネクタイ装着長さは、結び目の長さで変わるが、ネクタイを結び始める位置の目印は、自分で位置を確定する目印であり効果に違いは生じない。【００１６】  ６５センチの位置を測るには、全長６５センチの計測テープ（１４）を用い、一端をネクタイ裏側の大剣（１１）の先端に合わせ、小剣（１２）側に水平に伸ばして位置を決定し、ネクタイ裏側縫合部（１０）に目印（５）を仮留する。【００１７】  目印（５）を仮留する手順は、保護フィルム（９）に貼り付けた目印（５）を、非粘着部（３）側から剥ぎ取り、ネクタイ裏側縫合部（１０）の隙間に非粘着部（３）を上向きにして折りたたみ線（８）まで差し込む。【００１８】  次に、折りたたみ線（８）から目印上部（１）を折りたたみ、ネクタイ裏側縫合部（１０）の、縫合部上の布地（４）を挟んで目印（５）を仮留する。その目印（５）を基点にして、一度ネクタイを結んでみる。【００１９】  好みの装着長さにならない場合は、目印上部（１）を剥がして縫合部（１０）から一旦目印（５）取り外し、取り付け位置を移動させる。【００２０】  例えば、装着長さが３〜４センチ長い場合は、目印（５）を大剣（１１）側に、３〜４センチ下に移動させて何時もの結びかたで結び直す。
装着長さが３〜４センチ短い場合には、目印（５）を小剣（１２）側に３〜４センチ上に移動させて結び直す。【００２１】  ここで、目印（５）を使用したネクタイの結びかたを説明すると、ネクタイを襟首に回し、大剣（１１）側の目印（５）を右手に持ち、左手の小剣（１２）側の表上に交差させ重ねる。目印（５）が移動しないように交差点を左手指で挟み、目印（５）を基点に右手で大剣（１１）側を小剣（１２）側に巻き付ける。【００２２】  巻き付けて結び、好みの装着長さになれば、ネクタイを解き外し、目印と縫合部上の布地との接触部（１５）に、接着剤を滴下して目印（５）を固定する。
このように、本考案の、ネクタイを結び始める位置の目印は、移動して位置を決定することが特徴であり、簡単な構造であることが実施に不可欠である。【００２３】  なお、本考案の、ネクタイを結び始める位置の目印は、図６に示すように、折りたたまないで粘着部（３）を下向きにして伸ばし、目印と縫合部上の布地との接触部（１５）に、接着剤を滴下しで固定しても同様の効果が得られる。
本考案は、以上のようにして、ネクタイを結び始める位置の目印を構成している。
【考案の効果】
【００２４】  以上の説明から明らかなように、本考案にあっては次のような効果が得られる。
［１］請求項１のように、本考案の、ネクタイを結び始める位置の目印は、図５に示すように、粘着力及び挟む力で取り付け、それを取り外して再度取り付けできるように構成しているので、目印（５）は移動することができる。
したがって、目印（５）を移動させ、それを基点にして何度も結び直しができるので、好みの長さにネクタイを装着する位置を求めることができる。【００２５】  ［２］請求項２のように、本考案の、ネクタイを結び始める位置の目印を、図７に示すように保護フィルム（９）に複数個貼り付け、図９の丸めた計測テープ（１４）及び接着剤を合わせて容器に収納して販売することができる。
もちろん、その容器をネクタイ本体に添付して販売することもできる。
したがって、本考案の、ネクタイを結び始める位置の目印は、以前購入したネクタイにも使用することができる。【００２６】  ［３］請求項３のように、ネクタイの製作段階で、大剣（１１）の先端から、小剣（１２）側に測り６５センチ前後の位置に、本考案の、ネクタイを結び始める位置の目印を仮留すれば同様の効果が得られる。仮留が重要である。
したがって、ネクタイ購入者には６５センチの位置を測る手間がなくなる。【００２７】  なお、本考案の、ネクタイを結び始める位置の目印の、数センチ上か又は下の位置から異なる結びかたで気分転換ができるのでネクタイ着用が増える。
【図面の簡単な説明】
【００２８】
【図１】本考案に係る目印を中央部から９０度に折曲げた上面図
【図２】本考案に係る目印を中央部から９０度に折曲げた正面図
【図３】本考案に係る目印を中央部から９０度に折曲げた右側面図
【図４】本考案に係る目印を中央部から９０度に折曲げた底面図
【図５】目印を折り曲げてネクタイ縫合部の布を挟んだ説明拡大側面図
【図６】目印を伸ばしてネクタイ縫合部に取り付けた説明拡大側面図
【図７】保護フィルムに複数個の目印を貼り付けた説明図
【図８】目印をネクタイ裏側の縫合部に仮留した説明上面図
【図９】計測テープを丸めた説明図
【図１０】計測テープを伸ばした説明図
【考案を実施するための形態】
【００２９】  以下、本考案の実施の形態を図にもとづいて説明する。
【実施例１】
【００３０】  図２は、本考案の実施例１の、目印を中央部から９０度に折曲げた正面図であって、図３の右側面図に示すように、折りたたみ線（８）で折り曲げ、図５のように折りたたみ、開いて取り外し再度貼り付けるように構成している。
したがって、図６のように、粘着部を下向きにして水平に貼り付け、ネクタイを結び始める位置の目印にしても同様の効果が得られる。【００３１】  なお、目印（５）を中央で折り曲げ、開閉する構造は、薄いプラスチックや金属の弾力、あるいは蝶番構造を応用して容易に製作できる。
しかし、安価で作製しやすい簡単な構造であることが、実用化の重要条件であって、本考案は安価な粘着テープを使用して説明した。
【実施例２】
【００３２】  図７は、本考案の実施例２の、保護フィルム（９）に複数個の目印（５）を貼り付けた説明図であって、粘着テープを利用した目印（５）を広い保護フィルム（９）に貼り付けたものと、計測テープ（１４）及びミニ接着剤を合わせて容器に収納して販売することができる。
したがって、以前購入したネクタイにも使用することができる。
【実施例３】
【００３３】  図８は、本考案の実施例３の、目印をネクタイ裏側縫合部に仮留した説明上面図であって、ネクタイの製作段階で、大剣先端から小剣側に測り６５センチの位置（１３）に目印（５）を仮留することができる。
つまり、ネクタイ購入者は、６５センチの位置を測る必要がない。【００３４】  したがって、本考案の、ネクタイを結び始める位置の目印を、前もって６５センチの位置に仮留したネクタイに、保護フィルム（９）に貼り付けた複数個の目印（５）を添付して販売することができる。
【産業上の利用可能性】
【００３５】  本考案の、ネクタイを結び始める位置の目印は、粘着テープを製造する産業で利用される。プラスチック製にすれば、プラスチック産業で利用される。
【符号の説明】
【００３６】  １  目印上部
２  目印下部
３  非粘着部
４  縫合部上の布地
５  目印
６  目印上部の粘着部
７  目印下部の粘着部
８  折りたたみ線
９  保護フィルム
１０  ネクタイ裏側縫合部
１１  大剣
１２  小剣
１３  大剣先端から測って６５センチの位置
１４  計測テープ
１５  目印と縫合部上の布地との接触部
【図１】
0003216213.tif 000003
【図２】
0003216213.tif 000004
【図３】
0003216213.tif 000005
【図４】
0003216213.tif 000006
【図５】
0003216213.tif 000007
【図６】
0003216213.tif 000008
【図７】
0003216213.tif 000009
【図８】
0003216213.tif 000010
【図９】
0003216213.tif 000011
【図１０】
0003216213.tif 000012
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
薄い板状の素材を、小さい長方形に成形し、その長方形部材の折りたたみ線（８）の部分を軟質素材にして折り曲げる、または折りたたみ線（８）の部分を蝶番構造にして折り曲げ、それを折りたたんだ挟む力または粘着力でネクタイの布地に取り付け、直ぐに取り外して再度取り付けることができる構造を特徴とするネクタイを結び始める位置の目印部材。
【請求項２】
保護フィルム（９）、または薄板に目印（５）部材を複数個まとめて取り付ける、または容器に目印（５）部材を複数個まとめて収納した組み合わせを特徴とする請求項１記載のネクタイを結び始める位置の目印部材。
【請求項３】
ネクタイ裏側の、大剣（１１）の先端を基点にして小剣（１２）側に長さを測り、６５センチの位置（１３）に目印（５）部材を取り付けた組み合わせを特徴とする請求項１記載のネクタイを結び始める位置の目印部材。